(57)【要約】      （修正有）【課題】箱体と浸入路を有するナメクジ捕獲器において、浸入したナメクジが外に出ないようにすることを課題とする。【解決手段】ナメクジ捕獲器Ｘとして、箱体からなる本体部１０と、本体部の底面以外の壁面に１以上設けられる内部と外部とを連通する管体からなる侵入路２０と、侵入路の内部側端部に連なる軟質のチューブから形成した侵入口とを設ける。侵入口の開口端は偏平に潰した形状とすることが望ましい。このような構造によって、侵入口から本体部内に侵入したナメクジは侵入口を外側から押し広げることができないので外部に逃げ出すことができない。【選択図】図２
0003195726.tif 000002
【実用新案登録請求の範囲】
【請求項１】
箱体からなる本体部と、
前記本体部の底面以外の壁面に１以上設けられる内部と外部とを連通する管体からなる侵入路と、
前記侵入路の内部側端部に連なる軟質のチューブにより形成される侵入口と
を有するナメクジ捕獲器。
【請求項２】
前記侵入口は開口端を偏平に潰した形状を有するものである請求項１に記載のナメクジ捕獲器。
【請求項３】
前記偏平に潰した形状を有する侵入口開口縁両端部近傍の向かい合う縁同士を互いに固定した請求項２に記載のナメクジ捕獲器。
【考案の詳細な説明】
【技術分野】
【０００１】
本考案は、餌によってナメクジをおびき寄せて捕獲する器具に関する。
【背景技術】
【０００２】
ナメクジは作物に被害を与える害虫であり、様々な駆除方法が提案されている。このような駆除方法のうち、下記特許文献に示すような、箱体に内外に連通する浸入路を設けた形状を有する捕獲器具は構造が簡易で利便性が高い。
【先行技術文献】
【特許文献】
【０００３】
【特許文献１】特開２００７−６０９２８号公報
【考案の概要】
【考案が解決しようとする課題】
【０００４】
ところで、上記特許文献に記載の考案は、内部に殺虫剤を配することでナメクジを殺して捕獲するものであるが、殺虫剤の効き目が弱い場合、浸入路からナメクジが出てしまうという問題がある。
本考案は、このような問題に鑑みて、箱体と浸入路を有するナメクジ捕獲器において、浸入したナメクジが外に出ないようにすることを課題とする。
【課題を解決するための手段】
【０００５】
上記課題を解決するために、本考案は、次のような構成を有する。
請求項１に記載の考案は、箱体からなる本体部と、前記本体部の底面以外の壁面に１以上設けられる内部と外部とを連通する管体からなる侵入路と、前記侵入路の内部側端部に連なる軟質のチューブにより形成される侵入口とを有するナメクジ捕獲器である。
請求項２に記載の考案は、前記ナメクジ捕獲器において、前記侵入口は開口端を偏平に潰した形状を有するものである。
請求項３に記載の考案は、請求項２に記載のナメクジ捕獲器において、前記偏平に潰した形状を有する侵入口開口縁両端部近傍の向かい合う縁同士を互いに固定したものである。
【考案の効果】
【０００６】
以上のような構成により、本考案は、次のような効果を奏する。
請求項１に記載の考案は、本体部内にナメクジが好む餌を入れ、捕獲する場所に設置すると、ナメクジは餌におびき寄せられ侵入路から侵入口を通り、本体部内に侵入する。侵入口は軟質のチューブにより形成されているので、ナメクジが本体部内に入るときには、チューブの内側から通ることで侵入口押し広げて通ることができるが、本体部内からは軟質なチューブの開口を広げることが困難であるので、ナメクジは本体部内から脱出することを抑制することができる。このように本考案は簡易な構造によってナメクジを捕獲することができる。
請求項２に記載の考案は、侵入口の開口端を偏平に潰した形状とすることで、さらに、ナメクジが本体部内部から開口を広げることが難しくなるので、より確実にナメクジを捕獲することができる。
請求項３に記載の考案は、侵入口の両端部近傍の向かい合う縁同士を互いに固定することで、偏平な形状が維持されやすくなり、ナメクジが通ることによって偏平な侵入口が広がることを抑制することができる。
【図面の簡単な説明】
【０００７】
【図１】実施形態に係るナメクジ捕獲器の斜視図である。
【図２】実施形態に係るナメクジ捕獲器の縦断面図である。
【図３】実施形態に係るナメクジ捕獲器における蓋裏近傍の拡大斜視図である。
【考案を実施するための形態】
【０００８】
以下、本考案の実施の形態について、図面を参照しながら説明する。
図１に本実施形態に係るナメクジ捕獲器Ｘの斜視図を示し、図２にナメクジ捕獲器Ｘの縦断面図を示す。ナメクジ捕獲器Ｘは、本体部１０、侵入部２０とから構成される。本体部１０は外観正三角柱状の箱体であり、プラスチックにより形成される。本体部１０の一方の底面は図２の縦断面図に示すように分離した着脱できる蓋１１を構成する。図３に蓋１１の裏面側からみた拡大斜視図を示す。蓋１１の裏面は本体部１０内壁に嵌る外周面を有する偏平な三角柱状の係合突起１１ａが設けられ、この係合突起１１により蓋１１は本体部１０に対して着脱可能に形成されている。蓋１１を構成する三角形状の板面略中央には侵入部２０を固定するための丸穴が形成されている。
侵入部２０は前記蓋１１の丸穴に嵌合する外径を有する管体で外側端部にフランジが設けられた固定管２１と、固定管２１内周面に固定されるビニール管からなる内部管２２とから構成される。内部管２２の本体部内部１０に位置する先端部は偏平に潰され、偏平に潰されることで形成される開口縁の両端において、対向する縁部同士を互いに固定している。ここでは偏平な開口縁の幅は２．５ｃｍであり、実際に開いている部分の幅は１．０ｃｍに設定している。侵入部２０において、ビニール管の先端側が侵入口を形成し、外側に近い管状部分が侵入路を形成する。
【０００９】
次に、以上のような構成を有するナメクジ捕獲器Ｘの使用方法について説明する。使用に際しては、蓋１１を外して本体部１０内部にナメクジが好む餌を入れ、再び蓋を閉じる。この状態で、ナメクジを捕獲する場所にナメクジ捕獲器Ｘを置く。ナメクジは餌に引きつけられ、侵入部２０から侵入して本体部１０内部に侵入する。侵入に際して、ナメクジは内部管２２の先端部を通る際に管の内側から開口縁を押し広げることで、開口縁を通ることができる。そして、一旦侵入したナメクジは偏平な内部管２２の開口縁を外から広げることができないので、侵入部２０から外部に逃げ出すことはできない。このような構造により、ナメクジ捕獲器Ｘはナメクジを内部におびき寄せ、捕獲することができる。実際に、上記ナメクジ捕獲器Ｘと、これと同じ構成で、内部管２２の先端を偏平にしていないものとを比較実験した結果、先端を偏平にしていないものは、２〜３日に内部に留めることができたものの侵入したナメクジが全て脱出した。一方、ナメクジ捕獲器Ｘは侵入したナメクジは一匹も外部に脱出できず死亡に到ったことが確認できた。
このように、本実施形態に係るナメクジ捕獲器Ｘは、簡易な構造によってナメクジを捕獲し、一旦捕獲したナメクジは外部に逃げ出すことがない。
【００１０】
なお、上記実施形態では本体部１０は三角柱形状の箱体に形成しているが、本体部の形状は箱体であれば任意の形状を採用することができる。また、侵入部２０において、侵入路と侵入口とを一つのビニール管により一体に形成しているが、これらは別体により形成してもよい。
【符号の説明】
【００１１】
Ｘ  ナメクジ捕獲器
１０  本体部
１１  蓋
２０  侵入部
２１  固定管
２２  内部管
【図１】
0003195726.tif 000003
【図２】
0003195726.tif 000004
【図３】
0003195726.tif 000005